(57)【要約】【課題】繊維状夾雑物が、攪拌機の攪拌羽根に付着することによる過負荷によって攪拌機を停止しなければならなくなる頻度を減少することができるようにした攪拌機の運転方法を提供すること。【解決手段】電動機１にて回転駆動される駆動軸２に攪拌羽根３を配設して構成した攪拌機Ａの運転方法において、攪拌機Ａの運転中に少なくとも１日に１回、数秒〜数分停止する時間を設けることにより、駆動軸２の回転が停止する時に、攪拌羽根３に付着した繊維状夾雑物を攪拌羽根３から離脱させるようにする。【選択図】図１
2011240230.tif 000002
【特許請求の範囲】
【請求項１】
電動機にて回転駆動される駆動軸に攪拌羽根を配設して構成した攪拌機の運転方法において、攪拌機の運転中に少なくとも１日に１回、数秒〜数分停止する時間を設けることにより、駆動軸の回転が停止する時に、攪拌羽根に付着した繊維状夾雑物を攪拌羽根から離脱させるようにすることを特徴とする攪拌機の運転方法。
【請求項２】
攪拌機の運転時間及び停止時間を、それぞれタイマを用いて設定するようにしたことを特徴とする請求項１記載の攪拌機の運転方法。
【請求項３】
回転方向の前縁側を曲率が急変しないなだらかな曲線で形成した攪拌羽根を用いるようにしたことを特徴とする請求項１又は２記載の攪拌機の運転方法。
【発明の詳細な説明】
【技術分野】
【０００１】
本発明は、攪拌機の運転方法に関し、特に、下水処理、化学処理、食品製造等に使用される攪拌機において、毛髪等の繊維状夾雑物が、攪拌機の攪拌羽根に付着することによる過負荷によって攪拌機を停止しなければならなくなる頻度を減少することができるようにした攪拌機の運転方法に関するものである。
【背景技術】
【０００２】
従来、下水処理場に流入する汚水は、下水処理槽内に導かれ、下水処理槽内に配設した攪拌機にて攪拌され、好気性処理を行うようにしている。この曝気機として、電動機にて回転駆動される駆動軸に攪拌羽根を配設して構成した攪拌機が汎用されている（例えば、特許文献１参照）。
【０００３】
ところで、下水処理槽内に流入する汚水には、汚物と共に毛髪等の繊維状夾雑物が混入しており、この繊維状夾雑物が攪拌機の攪拌羽根に付着するようになる。
特に、攪拌対象の汚水中に毛髪等の繊維状夾雑物が高濃度で存在する場合、攪拌羽根に付着した繊維状夾雑物に、さらに、周囲の繊維状夾雑物が付着し、繊維状夾雑物が塊状に成長するようになる。
そして、攪拌機の攪拌羽根に毛髪等の繊維状夾雑物が付着すると、攪拌羽根による水流発生能力が減少するとともに、過負荷によって攪拌機を停止しなければならなくなる。
【０００４】
また、攪拌機の攪拌羽根に付着した毛髪等の繊維状夾雑物の除去作業は、作業者が手作業で行うため、攪拌機を停止しなければならない。
【先行技術文献】
【特許文献】
【０００５】
【特許文献１】特開２００９−６２３２号公報
【発明の概要】
【発明が解決しようとする課題】
【０００６】
本発明は、下水処理、化学処理、食品製造等に使用される攪拌機において、繊維状夾雑物が、攪拌機の攪拌羽根に付着することによる過負荷によって攪拌機を停止しなければならなくなる頻度を減少することができるようにした攪拌機の運転方法を提供することを目的とする。
【課題を解決するための手段】
【０００７】
上記目的を達成するため、本発明の攪拌機の運転方法は、電動機にて回転駆動される駆動軸に攪拌羽根を配設して構成した攪拌機の運転方法において、攪拌機の運転中に少なくとも１日に１回、数秒〜数分停止する時間を設けることにより、駆動軸の回転が停止する時に、攪拌羽根に付着した繊維状夾雑物を攪拌羽根から離脱させるようにすることを特徴とする。
【０００８】
この場合において、攪拌機の運転時間及び停止時間を、それぞれタイマを用いて設定するようにすることができる。
【０００９】
回転方向の前縁側を曲率が急変しないなだらかな曲線で形成した攪拌羽根を用いるようにすることができる。
【発明の効果】
【００１０】
本発明の攪拌機の運転方法によれば、攪拌機の運転中に少なくとも１日に１回、数秒〜数分停止する時間を設けることにより、駆動軸の回転が停止する時に、攪拌羽根に付着した繊維状夾雑物を慣性力や攪拌羽根の周りを流れ続ける水流より洗い流されることによって攪拌羽根から離脱させることができる。これにより、攪拌羽根に付着した繊維状夾雑物が塊状に成長することを未然に防止することができ、攪拌羽根による水流発生能力を良好に維持しながら、過負荷によって攪拌機を停止しなければならなくなる頻度を低減又はなくし、長期間に亘って攪拌機を連続運転することができる。
【００１１】
また、攪拌機の運転時間及び停止時間を、それぞれタイマを用いて設定するようにすることにより、攪拌機の制御を簡易に行うことができる。
【００１２】
また、回転方向の前縁側を曲率が急変しないなだらかな曲線で形成した攪拌羽根を用いるようにすることにより、攪拌羽根に繊維状夾雑物が付着しにくくするとともに、攪拌羽根に付着した繊維状夾雑物を攪拌羽根から離脱させやすくすることができる。
【図面の簡単な説明】
【００１３】
【図１】本発明の攪拌機の運転方法を適用する攪拌機の一例を示す正面縦断面図である。
【図２】同攪拌機の攪拌羽根を示す底面図である。
【図３】本発明の攪拌機の運転方法を示すフローチャートである。
【発明を実施するための形態】
【００１４】
以下、本発明の攪拌機の運転方法の実施の形態を、図面に基づいて説明する。
【００１５】
図１〜図２に、本発明の攪拌機の運転方法を適用する攪拌機の一例を示す。
この攪拌機Ａは、下水処理場等に設置された下水処理槽内の所定位置に垂設して使用されるもので、下端部に攪拌羽根３を配設した駆動軸２を、水面上に配置する電動機１にて回転駆動するとともに、この攪拌羽根３との間に予め定めた距離をあけて、その外周を覆う外筒４を外嵌するようにし、かつ必要に応じて外筒４の上方位置に整流マウンド５を配設して構成する。
【００１６】
この外筒４は、ラッパ状に上端が開拡した形状で、その開拡した上端外周部に形成される吸込口４１より槽内汚水を吸い込み、下端の開口した排出口４２とより底層内に吐出するように形成する。
したがって、この攪拌機Ａは、電動機１を駆動することによって駆動軸２を介して攪拌羽根３を外筒４内で回転させると、外筒４の上端外周部の吸込口４１より下水処理槽内の汚水を外筒４内に吸い込み、汚水を、攪拌した後、攪拌羽根３の水流発生力にて下端の排出口４２とより下水処理槽の底層に向かって吐出するようにする。この場合、外筒４の上方位置に配設した整流マウンド５により、汚水を、吸込口４１より均一に吸い込み、外筒４内を経て排出口４２へ円滑に導くようにする。
【００１７】
ところで、攪拌対象の汚水中に毛髪等の繊維状夾雑物が高濃度で存在する場合、攪拌羽根に付着した繊維状夾雑物に、さらに、周囲の繊維状夾雑物が付着し、繊維状夾雑物が塊状に成長するようになる。
【００１８】
これに対処するため、図３のフローチャートに示すように、攪拌機Ａの自動運転中に少なくとも１日に１回、数秒〜数分停止する時間を設けるようにする。
【００１９】
より具体的には、図３のフローチャートにおいて、攪拌機Ａの所定の運転時間経過を検知するために、２４時間タイマを用い、攪拌機Ａの自動運転中に２４時間に１回（又は数回）、攪拌機Ａの電動機１を停止するようにする。
そして、攪拌機Ａの電動機１の停止時間を設定するタイマを用い、攪拌機Ａの所定の停止時間、具体的には、数秒〜数分程度経過後、攪拌機Ａの運転を再開する。
なお、攪拌機Ａの攪拌運転は、２４時間の連続運転を基本としているが、１日８６４００秒のうち、数秒〜数分程度の停止時間による処理に対するデメリットは、停止中においても水流は慣性力で流れ続けることとも相俟って、実質的にはない。
また、複数台の攪拌機Ａを使用して処理を行う場合には、各攪拌機Ａ毎にタイマを設置、設定し、各攪拌機Ａの停止時間をずらせるようにすることが好ましく、これにより、処理に対するデメリットを一層少なくすることができる。
【００２０】
このように、攪拌機Ａの運転中に少なくとも１日に１回、数秒〜数分停止する時間を設けることにより、駆動軸２の回転が停止する時に、攪拌羽根３の回転方向の前縁側に鞍状に付着した毛髪等の繊維状夾雑物を慣性力や攪拌羽根３の周りを流れ続ける水流より洗い流されることによって攪拌羽根３から離脱させることができる。
【００２１】
この場合、攪拌羽根３に、図２（ａ）に示すような、回転方向の前縁側を曲率が急変しないなだらかな曲線で形成した攪拌羽根を用いることにより、図２（ｂ）に示すような、同曲率が急変する（角部Ｅのある）攪拌羽根を用いた場合と比較して、攪拌羽根３に毛髪等の繊維状夾雑物が付着しにくくするとともに、攪拌羽根３に付着した毛髪等の繊維状夾雑物を攪拌羽根から離脱させやすくすることができる。
【００２２】
ところで、毛髪等の繊維状夾雑物が攪拌羽根３の回転方向の前縁側に鞍状に付着する現象は、その現象が発生している状態を確認することが難しいことから、検討がなされていなかった。これは、攪拌機Ａを停止しても、攪拌羽根３の回転方向の前縁側に鞍状に付着した毛髪等の繊維状夾雑物は攪拌羽根３から離脱してしまい、この現象を確認することができなかったためである。
しかし、攪拌機Ａは、通常、過負荷によって攪拌機Ａを停止しなければならなくなるまで２４時間連続して稼働するようにしているため、攪拌羽根３に付着した毛髪等の繊維状夾雑物が塊状に成長することになっていた。
このように、本発明の攪拌機の運転方法は、従来検討されていなかった、攪拌羽根３の回転方向の前縁側に鞍状に付着した繊維状夾雑物を、攪拌羽根３から離脱させるためのものである。
ちなみに、毛髪等の繊維状夾雑物が攪拌羽根３の回転方向の前縁側に鞍状に付着する現象は、攪拌機Ａを、通常の減速時間の１００倍以上、具体的には、約１時間もの時間をかけて緩停止し、しかも停止直後に羽根付近に水流を起こさないように、水中カメラ等で観察することによって確認できた。
【００２３】
これにより、攪拌羽根３に付着した毛髪等の繊維状夾雑物が塊状に成長することを未然に防止することができ、攪拌羽根３による水流発生能力を良好に維持することができる。
また、攪拌羽根３に付着した毛髪等の繊維状夾雑物が塊状に成長することがないため、過負荷によって攪拌機Ａを停止しなければならなくなる（例えば、電動機１の定格電流値を超えて過電流値となり、電動機１が自動的に過電流検出で停止する）頻度を低減又はなくし、長期間に亘って攪拌機Ａを連続運転することができる。
なお、攪拌羽根３から離脱した毛髪等の繊維状夾雑物は、攪拌羽根３の周りを流れ続ける水流より洗い流されることによって攪拌羽根３の周りに滞留することがないため、攪拌機Ａの運転を再開しても、再度攪拌羽根３に付着することはない。
【００２４】
本件出願人は、毛髪等の繊維状夾雑物の付着時間を短くするために、繊維状夾雑物の濃度を通常の下水処理場に流入する汚水の１００倍程度に高く設定した模擬汚水を用いた実験水槽において、攪拌機Ａの電動機１の電流値の変化を調べる実証実験を行った。
その結果、対策を施さずに攪拌機Ａを連続運転した場合、攪拌機Ａの電動機１の電流値が漸増する現象が発生したのに対して、本発明の攪拌機の運転方法を適用した場合、攪拌機Ａの電動機１の電流値は、一定状態を維持することを確認した。
【産業上の利用可能性】
【００２５】
本発明の攪拌機の運転方法は、繊維状夾雑物が、攪拌機の攪拌羽根に付着することによる過負荷によって攪拌機を停止しなければならなくなる頻度を減少することができるという特性を有していることから、下水処理に用いられる攪拌機の用途に好適に用いることができるほか、例えば、化学処理、食品製造等に使用される攪拌機の用途にも広く用いることができる。
【符号の説明】
【００２６】
Ａ  攪拌機
１  電動機
２  駆動軸
３  攪拌羽根
４  外筒
５  整流マウンド
【図１】
2011240230.tif 000003
【図２】
2011240230.tif 000004
【図３】
2011240230.tif 000005